(57)【特許請求の範囲】
【請求項１】
機能剤が固定された基材の製造方法であって、
染料以外の機能剤とバインダ樹脂とを含有する少なくとも１種の乾式トナーを帯電体上に静電的に提供する工程；
前記乾式トナーを前記帯電体上から基材に転写する工程；および
前記転写された乾式トナーを前記基材に固定する工程；を備え、
前記転写工程では、前記帯電体上と前記基材との間に電界を印加することにより、前記帯電体上の乾式トナーを前記帯電体から前記基材に対して飛翔させ、
前記少なくとも１種の乾式トナーを帯電体上に静電的に提供する工程は、
露光及び現像により形成された感光体ベルト上の乾式トナーの画像を前記帯電体に転写する工程、又は、
感光性を有する前記帯電体を露光及び現像して前記帯電体上に乾式トナーの画像を形成する工程、又は、
金属製の前記帯電体に乾式トナーによるベタ画像を形成する工程を含み、
前記基材は、プラスチックフィルム、プラスチックシート、又は、布帛である、方法。
【請求項２】
前記機能剤は帯電性を有する請求項１に記載の方法。
【請求項３】
前記機能剤は、前記基材の堅牢度向上剤、濃染化剤、蛍光剤、脱色剤、防染剤、抜染剤、風合い改質剤、平滑剤、抗ピル剤、抗スナッギング剤、スリップ防止剤、柔軟剤、透明加工剤、光沢加工剤、目詰め加工剤、架橋剤、黄変防止剤、防臭剤、芳香剤、防皺剤、吸湿剤、吸水剤、撥水剤、撥油剤、透湿剤、防汚剤、親油剤、透湿防水剤、汚れ付着防止剤、蓄熱剤、発熱剤、蓄冷剤、吸熱剤、放熱剤、保温剤、温感加工剤、冷感加工剤、遠赤外線放射剤、難燃剤、防炎剤、静電防止剤、熱遮蔽剤、ガス遮蔽剤、電磁波遮蔽剤、電子線遮蔽剤、放射線遮蔽剤、抗菌剤、制菌剤、殺菌剤、抗ウイルス剤、防黴剤、防ダニ剤、防蚊剤、防虫剤、動物忌避剤、汚れ分解剤、花粉付着防止剤、ガス捕集剤、ガス分解剤、マイナスイオン発生剤、医薬品、化粧用剤からなる群から選択される少なくとも１つである、請求項１または２に記載の方法。
【請求項４】
前記基材は、表面に凹凸を有する請求項１〜３のいずれか一項に記載の方法。
【請求項５】
前記転写工程において、前記電界を、前記帯電体上の乾式トナーと前記基材との間に間隙が設けられた状態、または、前記帯電体が前記乾式トナーを前記基材に対して押圧しない状態で印加する、請求項１〜４の何れか一項に記載の方法。
【請求項６】
基材を搬送する基材搬送部；
染料以外の機能剤とバインダ樹脂とを含有する少なくとも１種の乾式トナーを帯電体上に静電的に保持させる静電保持部；
前記帯電体上に保持された乾式トナーを、前記基材搬送部により搬送される基材に転写する転写部；および
前記基材搬送部上において前記転写部よりも下流に設けられており、かつ前記転写された前記乾式トナーを前記基材に固定する固定部；を備え、
前記転写部は、前記基材搬送部上の基材と前記帯電体との間に、前記帯電体上の乾式トナーを前記帯電体から前記基材に飛翔させる電界を印加する電界印加部を備え、
前記静電保持部は、
露光及び現像により形成された感光体ベルト上の乾式トナーの画像を前記帯電体に転写する、又は、
感光性を有する前記帯電体を露光及び現像して前記帯電体上に乾式トナーの画像を形成する、又は、
金属製の前記帯電体に乾式トナーによるベタ画像を形成し、
前記基材は、プラスチックフィルム、プラスチックシート、又は、布帛である、機能剤固定装置。
【請求項７】
前記機能剤が帯電性を有する請求項６に記載の装置。
【請求項８】
前記機能剤は、前記基材の堅牢度向上剤、濃染化剤、蛍光剤、脱色剤、防染剤、抜染剤、風合い改質剤、平滑剤、抗ピル剤、抗スナッギング剤、スリップ防止剤、柔軟剤、透明加工剤、光沢加工剤、目詰め加工剤、架橋剤、黄変防止剤、防臭剤、芳香剤、防皺剤、吸湿剤、吸水剤、撥水剤、撥油剤、透湿剤、防汚剤、親油剤、透湿防水剤、汚れ付着防止剤、蓄熱剤、発熱剤、蓄冷剤、吸熱剤、放熱剤、保温剤、温感加工剤、冷感加工剤、遠赤外線放射剤、難燃剤、防炎剤、静電防止剤、熱遮蔽剤、ガス遮蔽剤、電磁波遮蔽剤、電子線遮蔽剤、放射線遮蔽剤、抗菌剤、制菌剤、殺菌剤、抗ウイルス剤、防黴剤、防ダニ剤、防蚊剤、防虫剤、動物忌避剤、汚れ分解剤、花粉付着防止剤、ガス捕集剤、ガス分解剤、マイナスイオン発生剤、医薬品、化粧用剤からなる群から選択される少なくとも１つである、請求項６または７に記載の装置。
【請求項９】
前記基材搬送部は、表面に凹凸を有する基材を搬送する請求項６〜８のいずれか一項記載の装置。
【請求項１０】
前記転写部は、前記帯電体上の乾式トナーと前記基材との間に間隙を有する、または、前記転写部の帯電体は、前記帯電体上の前記乾式トナーを前記基材に対して押圧しない、請求項６〜９のいずれか一項に記載の装置。
【発明の詳細な説明】
【技術分野】
【０００１】
本発明は、機能剤が固定された基材の製造方法、及び機能剤固定装置に関する。
【背景技術】
【０００２】
従来より、布帛等の基材に種々の染料以外の機能剤を固定する場合、例えば、布帛全体を機能剤溶液に浸す浸染が一般的に行われている。
【先行技術文献】
【特許文献】
【０００３】
【特許文献１】特開平０５−０３３２７４号公報
【発明の概要】
【発明が解決しようとする課題】
【０００４】
しかし、浸染により染料以外の機能剤の固定を行う場合、機能剤の固定が必要となる表面のみならず、布帛の内部や裏面にまで機能剤が染み込んでしまう。また、機能剤を必ずしも布帛の全面に付与する必要はなく、例えば染色が施されている部分にのみ機能剤を固定すれば足りる場合もある。従って、浸染による処理は必要以上の量の機能剤を必要とするため、コストを押し上げる要因となっている。
【０００５】
本発明は、前記従来技術の問題点を解決するために為されたものであり、本発明の目的は、布帛等の基材に対して、必要な部分にのみ染料以外の機能剤を固定できる製造装置及び製造方法を提供することである。
【課題を解決するための手段】
【０００６】
本発明に係る機能剤が固定された基材の製造方法は、染料以外の機能剤とバインダ樹脂とを含有する少なくとも１種の乾式トナーを帯電体上に静電的に提供する工程；
前記乾式トナーを前記帯電体上から、基材に転写する工程；および
前記転写された乾式トナーを前記基材に固定する工程；を備える。そして、前記転写工程では、前記帯電体上と前記基材との間に電界を印加することにより、前記帯電体上の乾式トナーを前記帯電体から前記基材に対して飛翔させる。
【０００７】
本発明に係る機能剤固定装置は、基材を搬送する基材搬送部；
染料以外の機能剤とバインダ樹脂とを含有する少なくとも１種の乾式トナーを帯電体上に静電的に保持させる静電保持部；帯電体状に保持された乾式トナーを、前記基材搬送部により搬送される基材に転写する転写部；および、
前記基材搬送部上において前記転写部よりも下流に設けられており、かつ前記転写された前記乾式トナーを前記基材に固定する固定部；を備える。そして、前記転写部は、前記基材搬送部上の基材と前記帯電体との間に、前記帯電体上の乾式トナーを前記帯電体から前記基材に飛翔させる電界を印加する電界印加部を備える。
【０００８】
本発明によれば、飛翔により機能剤及びバインダ樹脂を含む乾式トナーを転写するので、基材の表面の状態に係らず乾式トナーの高い転写性を実現でき、基材の所望の部分に染料以外の機能剤を選択的に固定することが可能である。機能剤とは、基材の物理的性質、化学的性質、生物学的性質等の物性の改変をするものや、基材に新規物性を付与するものであり、染料以外のものである。
【０００９】
特に、基材の表面に凹凸があるものが好ましく、このような場合であっても、高い転写性を発揮しうる。
【００１０】
ここで、上記基材は、例えば、プラスチックフィルム、プラスチックシート、布帛等であることができる。特に、布帛の表面には、繊維間の隙間や、糸間の谷等、複雑な凹凸があるが、このような場合でも、必要な部分にのみ機能剤の転写が可能である。
【００１１】
乾式トナーを帯電体上に静電転写することから、機能剤は帯電性を有することが好ましい。なお、機能剤が帯電性を有さなくても、バインダ樹脂等が帯電性を有すれば実施可能である。
【００１２】
また、前記転写工程において、前記電界を、前記帯電体上の乾式トナーと前記基材との間に間隙が設けられた状態、または、前記帯電体が前記乾式トナーを前記基材に対して押圧しない状態で印加することが好ましい。
【００１３】
また、前記転写部は、前記帯電体上の乾式トナーと前記基材との間に間隙を有する、または、前記転写部の帯電体は、前記帯電体上の前記乾式トナーを前記基材に対して押圧しないことが好ましい。
【００１４】
これらにより、乾式トナーが例えば基材の最凸部等に偏ることが抑制され、濃度ムラの少ない良好な機能剤による画像を基材上に再現することができる。
【００１５】
また、上記帯電体が導電性感光体であり、上記提供工程では、上記導電性感光体上に上記乾式トナーによる画像を提供することが好ましい。
【００１６】
これによれば、容易にトナーによる様々な形態の機能剤による画像を形成できる。
【００１７】
また、機能剤固定装置は、例えば、互いに異なる複数の乾式トナーを１つの帯電体に提供しその後これらの複数の乾式トナーを基材に転写すること、帯電体へ乾式トナーを提供しその後基材に転写する工程を乾式トナーを異ならせて繰り返すこと、又は、互いに異なる乾式トナーが提供された複数の帯電体から１つの帯電体にそれぞれ乾式トナーを転写することにより、基材上へ複数のトナーによる画像の重ね合わせが可能となっている。
【発明の効果】
【００１８】
本発明によれば、基材の表面の状態に係らず機能剤を必要な部分にのみ固定することができる。このため、機能剤の無駄が抑制される。
【図面の簡単な説明】
【００１９】
【図１】図１は、本発明の第一実施形態に係る機能剤が固定された基材の製造方法のフローチャートである。
【図２】図２は、本発明の第一実施形態に係る機能剤固定装置を表す概念図である。
【図３】図３は、図２の印捺装置のプーリ２２と２次転写ローラ１６との間の拡大模式図である。
【図４】図４は、本発明の第二実施形態に係る機能剤固定装置を表す概念図である。
【図５】図５は、本発明の第三実施形態に係る機能剤固定装置を表す概念図である。
【図６】図６は、本発明の第四実施形態に係る機能剤固定装置を表す概念図である。
【発明を実施するための形態】
【００２０】
本発明の実施形態について、図面を参照しながら説明するが、本発明は以下の実施形態に限定されるものではない。
【００２１】
（第一実施形態）
図１は、本発明の実施形態にかかる機能剤が固定された基材の製造方法を実施するための各作業工程の一例を説明するための工程図を模式的に表した図である。
【００２２】
図１に示すように、本実施形態において、機能剤が固定された基材の製造方法は、乾式トナー粒子を帯電体上に静電的に提供する工程（ａ）と、乾式トナーを帯電体上から基材に静電的に転写する工程（ｂ）と、基材に転写された乾式トナー粒子を該基材に固定する工程（ｃ）と、を含む。これにより、基材上にトナー粒子が固定された基材を得ることができる。
【００２３】
ここで、必要に応じて、固定対象となる基材に対して、当該基材表面の凹凸状態を軽減または平滑にすることや、機能剤の機能をより発揮しやすくさせるため、あるいは、トナーが付着しやすくするため等の、所定の前処理工程（ｇ）を行うことができる。
【００２４】
次に、機能剤が固定された基材の製造方法の詳細について、これに用いる機能剤固定装置と共に詳しく説明する。
【００２５】
図２は、本発明の一実施形態に係る機能剤が固定された基材の製造方法を実施するための機能剤固定装置１００を表す概念図である。図２の機能剤固定装置１００は、４つのトナーを一度に基材に転写する方式で機能剤の固定を行うものである。この機能剤固定装置は、図２に示すように、２つのプーリ１１、１２と、これらのプーリの間に巻装された搬送ベルト１３とを備えており、２つのプーリ１１、１２の何れか一方は、駆動装置（図示せず）により駆動される。搬送ベルト１３上には従来の染色加工分野において用いられている粘着剤が塗布されており、この粘着剤により基材１４が搬送ベルト１３上に固定される。図１の装置１００では、基材１４はプーリ１１からプーリ１２に向かって移動する。本実施形態では、搬送ベルト１３が、基材搬送部を構成している。
【００２６】
また、この機能剤固定装置１００は、基材１４に転写するための、互いに異なる４つの乾式トナー粒子による画像をそれぞれ形成可能な作像ユニット（静電保持部）１５を備えている。この作像ユニット１５は、上下に配されたプーリ２１、２２と、これらのプーリの間に巻装された中間転写ベルト（帯電体）２３と、を備えている。プーリ２１、２２の間には、中間転写ベルト２３の上に、中間転写ベルト２３上の付着物を除去するクリーニング装置２４と、中間転写ベルト２３の除電を行うために必要に応じて設けられている除電装置２５と、を備えている。
【００２７】
また、中間転写ベルト２３の表面に対面して、４つの作像ユニット２９がベルト移動方向に並んで配置されている。これらの４つの作像ユニットの中間転写ベルト２３を挟んだ裏面側には、各トナーに対応した一次転写ローラ２９ｐがそれぞれ設けられている。
【００２８】
作像ユニット２９はそれぞれ、露光により帯電画像を形成可能な光導電性感光体を含む感光体ベルト２９ｋを備え、当該感光体ベルト２９ｋの進行方向にそって、その周囲にクリーニング装置２９ａ、除電装置２９ｂ、帯電装置２９ｃ、露光装置２９ｄ、現像装置２９ｅをこの順で備える。現像装置２９ｅは、それぞれ機能剤を含むトナー粒子を感光体ベルト２９ｋ上の帯電画像に与え、これにより、感光体ベルト２９ｋ上には、トナー粒子による画像が形成される。そして、感光体ベルト２９ｋ上にトナー粒子により形成された画像、すなわち、パターンは、作像ユニット２９と一次転写ローラ２９ｐとにより、静電的に中間転写ベルト２３にそれぞれ転写可能となっており、中間転写ベルト２３上に任意の画像を連続的に形成することができる。
【００２９】
作像ユニット１５の下方には、搬送ベルト１３および基材１４を介して二次転写ローラ１６が設けられている。この二次転写ローラ１６には、中間転写ベルト２３上に静電的に保持された乾式トナー粒子とは反対の符号の高電圧が高圧電源２から供給されており、これにより、図３に示すように、中間転写ベルト２３上のトナー粒子Ｔと基材１４との間の転写ギャップＧに強い電界が発生し、静電気力により中間転写ベルト２３上の乾式トナー粒子Ｔが中間転写ベルト２３から基材１４へ向かって飛翔し、中間転写ベルト２３上の乾式トナーにより形成されている画像が基材１４上に転写される。ここで、二次転写ローラ１６は、転写ギャップ調整装置１６ａによって、搬送ベルト１３上の基材１４と、転写ベルト２３上の乾式トナー粒子Ｔとの間の転写ギャップＧを調節可能となっている。ここで、転写ギャップＧは、中間転写ベルト２３と、二次転写ローラ１６との間の距離から、搬送ベルト１３、及び基材１４の厚みを引くことにより容易に得られる。そして、本実施形態では、二次転写ローラ１６、転写ギャップ調整装置１６ａ、及び、高圧電源２が転写部１９を構成し、高圧電源２が電界印加部を構成している。なお、転写ギャップ調整装置１６ａが無く、転写ギャップが固定であっても実施可能である。
【００３０】
また、図２に戻って、搬送ベルト１３上における二次転写ローラ１６よりも下流側には、基材１４上の画像を固定させる固定装置（固定部）１７が設けられている。固定装置１７は、乾式トナーを基材１４に固定するものであり、例えば、基材１４とは接触することなく乾式トナーを軟化させるための非接触加熱手段、または乾式トナーに含まれるバインダ樹脂に対する膨潤作用を有する溶媒を含有する溶剤を噴霧する溶剤噴霧装置（噴霧部）、または、これらの組合せにより構成することができる。非接触加熱手段としては、赤外線セラミックヒーター、赤外線ランプなどの赤外線ヒーター、温風ヒーター、ホットプレート等のヒータを例示することができる。溶媒としては、エチルアルコール、メチルアルコール、イソプロピルアルコール、ジエチルエーテル、酢酸エチルおよびこれらの混合溶媒を挙げることができる。溶剤噴霧装置の構成は特に限定されず、公知の種々のものが利用できる。
【００３１】
更に、搬送ベルト１３上における固定装置１７よりも下流側には、基材１４を搬送ベルト１３から剥がすための剥離ローラ１８が備えられている。
【００３２】
(基材)
本発明に用いられる基材は、電気的絶縁性を有することが好ましい。基材は、染色可能な材料であることができる。また基材は、平滑な又は表面に凹凸を有するものであることができる。基材は、例えば、布帛、衣料品（例としてアンダーウェア、スポーツウェア）、紙、プラスチックフィルム、プラスチックシート、プラスチック板、金属板、ガラス板、陶器板（例えばタイル）などを包含する。なかでも、表面に凹凸を有する基材が好ましい。プラスチックフィルム、プラスチックシート等は、例えば、エンボス加工等により凹凸が形成されていてもよい。凹凸の程度も特に限定されないが、最大厚みに対する最小厚みの比が５０％以下でも可能であり、例えば、メッシュ状の布帛のような０％のものであってもよい。
【００３３】
本発明において使用し得る布帛は、天然又は人工の編物、織物、不織布等である。また、本発明において、布帛は、上記以外に、紐や縄を含む組物、綿状ハイバルフスク、スライバー、多孔質スポンジ、フェルト等の繊維構造体と認識され得るもの一般をも包含する。
【００３４】
本発明の対象となる布帛は、特に限定されないが、例えば、綿、カボック、麻、絹、羊毛、キャメル、モヘア、カシミア、アルパカ、アンゴラのような天然繊維、例えばポリアミド繊維、ポリアラミド繊維、ポリエステル繊維、ポリトリメチレンテレフタレート（ＰＴＴ）繊維、ポリブチレンテレフタレート（ＰＢＴ）繊維、ポリアクリレート繊維、ポリ乳酸繊維（ＰＬＡ繊維）ポリビニルアルコール（ＰＶＡ）繊維、ポリ塩化ビニル系繊維、ポリエチレン系繊維、ポリウレタン系繊維、ポリアクリル系繊維、ポリプロピレン（ＰＰ）系繊維、ポリフェニレンサルファイド（ＰＰＳ）繊維、ベンゾエート系繊維、ポリスチレン系繊維、ポリテトラフルオロエチレン系繊維、ポリシアン化ビニリデン系繊維、ポリエーテルエステル系繊維、プロミックス繊維などの合成繊維、例えば、ジアセテート繊維、トリアセテート繊維、ニトロセルロース繊維などの半合成繊維、例えば、レーヨン、キュプラ、大豆タンパク繊維、牛乳タンパク繊維などの再生繊維、例えば、ガラス繊維、バサルトファイバー、ウォラストナイト、シリカ・アルミナ繊維、ジルコニア繊維、ホウ素繊維、窒化ホウ素繊維、窒化ケイ素チタンカルシウム繊維などの無機繊維の何れか又はこれらの２種以上の組合せを含むものから製造されるものである。
【００３５】
本発明において布帛を構成し得る糸としては、特に限定されないが、例えば、モノフィラメント、マルチフィラメント、ステープルファイバー（スフ）、トウ、ハイバルクスフ、ハイバルクトウ、紡績糸、混紡糸、加工糸、仮撚糸、異形断面糸、中空糸、コンジュゲート糸、ＰＯＹ（partially oriented yarn:部分配向糸）、ＤＴＹ（draw-textured yarn:延伸加工糸）、ＰＯＹ−ＤＴＹ、スライバーなどが含まれる。
【００３６】
なお、本発明において使用される布帛の厚みは、後述する感光ベルトと二次転写ローラとの間に設定されるギャップを通過し得る程度であれば、必ずしも限定されない。
【００３７】
（乾式トナー）
また、本発明において使用される乾式トナーは、機能剤とバインダ樹脂とを含有している。
【００３８】
この機能剤とは、例えば、基材の物理的性質、化学的性質、生物学的性質等の物性の改変をするもの、基材に新規物性を付与するものであり、染料以外のものである。任意の複数の機能剤を、任意の比率で混合することができる。
【００３９】
なお、染料自体はこの機能剤に含まれないが、乾式トナーは、必須である機能剤以外に染料を含んでいてもよい。また、基材には予め染料が固定されていても良く、後工程で染料を固定してもよい。
【００４０】
機能剤は、基材への固定前後で、基材の色彩を変更させないように実質的に無色であってもよい。
【００４１】
機能剤は、具体的には、基材の堅牢度向上剤、濃染化剤（例えば、カチオン性アクリル樹脂、シリコーン化合物）、蛍光剤（例えば、ベンゾオキザゾール誘導体、ピレン及びオキサゾール誘導体、ベンゾイミダゾール誘導体、ジスチルビフェニール誘導体、スチルベン誘導体、ジスルホン酸スチルベン誘導体）、脱色剤（例えば、揮発性アルカリ剤、エステル型非イオン界面活性剤、トリグリセリドを構成成分とする油性成分と炭素数１６〜２５の直鎖状のアルキル基を有する高級アルコール）、防染剤（例えば、カルボキシル基含有多糖類、不飽和カルボン酸系重合体、エチレン性不飽和カルボン酸系の重合体）、抜染剤（例えば、ハイドロサルファイトナトリウムもしくは二酸化チオ尿素のような還元剤、及び苛性ソーダのようなアルカリ剤）、風合い改質剤（例えば、グリセリン、脂肪酸エステル類、パラフィン乳化物、第４級アンモニウム塩など）、平滑剤（例えば、ワックスやポリエステル（ポリエーテルエステル化合物等）を添加した油剤、ジメチルポリシロキサン、アミノ基含有ポリシロキサン、エポキシ基含有ポリシロキサンなど）、抗ピル剤（例えば、アクリル系樹脂など）、抗スナッギング剤（パラゾール  ＰＭなど（商品名  大原パラヂウム化学（株）））、スリップ防止剤（シリカ化合物、ポリエステル樹脂）、柔軟剤（例えば、陽イオン界面活性剤：脂肪酸アマイド系化合物：天然動植物油脂またはその不飽和結合に水素を反応させた硬化油または水添動植物油脂から分離した未精製脂肪酸、未精製脂肪酸を精製し炭素数分布の範囲を限定した精製脂肪酸、又は、メチル、エチル等の低級アルキルエステルとしたものをアミン類と反応させ、高い温度及び減圧の条件下で生成する水または低級アルコールを反応系外に除去してアマイド反応を進行させて得られる反応生成物に無機酸もしくは有機酸を加えて中和した中和物：このアマイド反応生成物の中和物にハロゲン化低級アルキルもしくは低級ジアルキル硫酸等で４級化反応して得られる４級化物）、透明加工剤（例えば、シリコーン系化合物もしくは硫酸のようなオパール加工剤）、光沢加工剤（例えば、ビニルエステル系樹脂、特にポリビニルアルコール系樹脂）、目詰め加工剤（例えば、シリカ化合物など）、架橋剤（例えば、イソシアネート化合物、ポリアミン類、イミダゾール類、ジシアンアミドなど）、黄変防止剤（例えば、ＢＨＴ（ジブチルヒドロキシトルエン）、ＢＨＡ（ブチルヒドロキシアニゾール）など）、消臭剤（例えば、二酸化チタン、二酸化マンガン、酸化亜鉛のような金属酸化物、茶葉、キノコなど植物抽出物、有機窒素系化合物）、防臭剤（例えば、活性炭、エタノールなど）、芳香剤（例えば、フラボノイドのような天然植物抽出物又は香料）、防しわ剤（例えば、エチレンジアミンなど）、吸湿剤（例えば、塩化カルシウム、塩化マグネシウム等の潮解性物質など）、吸水剤（例えば、デンプン−アクリロニトリルグラフト重合体の加水分解物、デンプン−アクリル酸グラフト重合体の中和物、酢酸ビニル−アクリル酸エステル共重合体のケン化物、アクリロニトリル共重合体もしくはアクリルアミド共重合体の加水分解物、これらの架橋体やポリアクリル酸部分中和物架橋体等吸水性樹脂）、抱水剤、撥水剤（例��ば、フッ素化合物、変性シリコーン系化合物、及びワックス系化合物など）、撥油剤（例えば、フッ素系化合物）、透湿剤（例えば、変性シリコーンアニオン界面活性剤）、防汚剤（例えば、アクリル、ポリアミド、ポリエステル樹脂）、親油剤（例えば、テトラオクタン酸ペンタエリスリチル(テトラ２-エチルヘキサン酸ペンタエリスリット)）、透湿防水剤（汚れ付着防止剤）（例えば、ウレタン樹脂や『パラミリオンＭＴＢ−２０』大原パラヂウム化学  水系透湿防水加工剤）、蓄熱剤（例えば、アルミニウム、珪素、マグネシウム、ジルコニウム、チタン等のセラミックス化合物やカーボンブラック、及び天然植物抽出物）、発熱剤（例えば、カプサイシンのような天然植物抽出成分またはゼオライト、活性炭のような水分を吸収する事により発熱する化合物）、蓄冷剤、吸熱剤、放熱剤、保温剤、温感加工剤（例えば、カモミールやカプサイシンのような天然成分など）、冷感加工剤（例えば、キシリトール、ミントのような天然成分など）、遠赤外線放射剤（例えば、ケイ酸ジルコニウム系セラミック）、難燃剤（例えば、リン酸グアニジンのようなリン系化合物及びＨＢＣＤ（ヘキサブロモシクロドデカン）のような臭素系化合物）、防炎剤（例えば、ホウ酸系複合化合物など）、静電防止剤（例えば、シリコーン樹脂など）、熱遮蔽剤（例えば、ジルコニアのようなセラミック化合物やポリシロキ酸のようなシリコーン化合物）、ガス遮蔽剤（例えば、ポリアセタール、ＡＢＳ樹脂等）、ＵＶ遮蔽剤等の電磁波遮蔽剤（例えば、ＵＶ遮蔽（酸化亜鉛などセラミック化合物など）、電子線遮蔽剤（例えば、ＩＴＯのような蒸着による電磁波シールド材料など）、放射線遮蔽剤（例えば、タングステンなどを主成分とするタングステン合金）、抗菌剤（例えば、カテキンのような天然抽出物、酸化亜鉛のようなセラミック化合物）、制菌剤（例えば、脂肪族エステル系化合物、有機チッソイオウ系化合物など）、殺菌剤（例えば、塩素化イソシアヌール酸のような塩素系化合物）、抗ウイルス剤、防黴剤、防ダニ剤、防蚊剤、防虫剤、動物忌避剤、汚れ分解剤、花粉付着防止剤、ガス捕集剤、ガス分解剤、マイナスイオン発生剤、医薬品、化粧用剤からなる群から選択される少なくとも１つであることができる。
【００４２】
堅牢度向上剤としては、例えば、湿潤堅牢度向上剤、ガス褪色防止剤、塩素堅牢度向上剤（例えば、樹脂類とチオ尿素、タンニン酸（及びジアミン類）、又は樹脂類とグアニジン系化合物））、摩擦堅牢度向上剤、耐光堅牢度向上剤、汗日光堅牢度向上剤などが挙げられる。
【００４３】
医薬品、及び、化粧用剤としては、例えば、アンチエージング剤（例えば、スレオニン及びメチン）、酸化防止剤（例えば、カテキンやビタミンC、ビタミンEなど）、保湿剤（例えば、スクワランやトレハロースなど天然由来物）、美肌剤（例えば、オリーブなどの植物由来成分、フィチン酸化合物、コエンザイム）、美白剤（例えば、アスコルビン酸やハイドロキノン誘導体などの還元剤、コウジ酸やリノール酸、チロシナーゼ阻害剤、カテコール配糖体、フラボノイド、イソフエルラ酸）、ｐＨバランス剤（例えば、クエン酸）、抗アレルギー剤（例えば、紅茶、ウーロン茶抽出成分）、安眠剤（例えば、植物から抽出したアロマ成分など）などが挙げられる。
【００４４】
また、機能剤としては、電子・電気材料加工剤、例えば液晶層を形成するLCD用スペーサー（グラスファイバー、グラスビーズ等））等も挙げられる。
【００４５】
乾式トナーにおいて、機能剤の含有量は、当該乾式トナーの重量を基準として、例えば、０．１重量％〜２０重量％である。
【００４６】
乾式トナーに用いられるバインダ樹脂としては、特に限定されないが、例えば、アルカリ可溶性樹脂又は水溶性樹脂として知られる樹脂成分が挙げられる。バインダ樹脂のより具体的な例としては、メラミン樹脂、ロジン変性樹脂、ポリエステル樹脂、アクリル樹脂、エポキシ樹脂、ポリビニルアルコール、ポリビニルピロリドン、ポリエチレンイミン、カルボキシメチルセルロース、アルギン酸ソーダ、コラーゲン、ゼラチン、デンプン、キトサンなどやこれらの組合せが挙げられる。本発明に陥られ得る乾式トナーにおいて、上記バインダ樹脂の含有量は、当該乾式トナーの重量を基準として、例えば、７５重量％〜９５重量％である。
【００４７】
上記乾式トナーは、荷電制御剤、ワックスなどのその他の成分を含有していてもよい。ワックスは後述する感光体ベルトなどへのオフセットを防止するために使用される。荷電制御剤を配合する場合、好ましい配合量は、当該トナーの重量を基準として、例えば、０．２重量％〜１重量％である。ワックスを配合する場合、好ましい配合量は、当該トナーの重量を基準として、例えば、０．１重量％〜５重量％である。
【００４８】
具体的には、本実施形態で使用する乾式トナーは、例えば以下のようにして調製することができる。ここでは、ＵＶカット効果付与用の乾式トナーを例として説明する。水溶性ポリエステル樹脂（８７．５６重量％）、ワックス（４．６１重量％）、負帯電用の荷電制御剤（０．４６重量％）、およびＵＶカット（紫外線吸収）剤（７．３７重量％；２−（５−クロロ−２Ｈ−ベンゾトリアゾール−２−イル）−６−（１，１−ジメチルエチル）−４−メチルフェノール）を混合し、温度５０℃で混練した。この混合物を冷却した後、最大でφ２ｍｍ程度に粗粉砕した後、更に微粉砕を行い、更に分級を行って、平均粒径５．８〜６．３μｍの粒子からなる粉体を得た。この粉体１００％に対して、凝集を防ぐためにシリカやチタンの微粉末を１％程度で加えて、本実施形態で使用する乾式トナーを得ることができる。
【００４９】
続いて、図２に示す構成を有する機能剤固定装置１００を用いた機能剤処理された基材の製造方法について説明する。ここでは、基材１４として縦糸と横糸を有する布帛に捺染を行う場合について説明する。まず、４トナー作像ユニット１５での画像形成について説明する。クリーニング装置２４で付着物の除去を行った中間転写ベルト２３は、除電装置２５で除電処理される。次に、除電された中間転写ベルト２３はプーリ２１を介して４つの作像ユニット２９にまで搬送される。
【００５０】
各作像ユニット２９では以下の動作が行われる。まず、クリーニング装置２９ａで付着物の除去を行った感光体ベルト２９ｋは、除電装置２９ｂで除電処理される、帯電装置２９ｃで所定の帯電がなされ、露光装置２９により感光体ベルト２９ｋ上に所望の任意の形状の帯電画像すなわち潜像が形成される。その後、感光体ベルト２９ｋ上には、現像装置２９ｅにより、機能剤を含む乾式トナーが静電的に供給され、これにより、感光体ベルト２９ｋ上にトナー粒子による画像が形成される。そして、感光体ベルト２９ｋ上のトナー粒子による画像は、一次転写ローラ２９ｐにより中間転写ローラ２３上に転写される。ここで、各作像ユニット２９の現像装置２９ｅが提供するトナーは互いに異ならせることが出来、また、露光装置２７が形成する潜像も互いに異ならせることができる。これにより、中間転写ベルト２３上に最終的に互いに異なる乾式トナーによる４つの画像を重ね合わせたものが完成する。
【００５１】
以上のようにして中間転写ベルト２３上に形成された画像は、搬送ベルト１３を搬送される基材１４に、高圧電源２によって二次転写ローラ１６とプーリ２２との間に与えられる上述の電界によって転写される。その際、図３に示すように、二次転写ローラ１６は基材１４および搬送ベルト１３を下方から押し上げ、中間転写ベルト２３が当該中間転写ベルト２３上の乾式トナー粒子Ｔを基材１４の上面に直接押圧しない位置、即ち、基材１４の上面と乾式トナー粒子Ｔとの間の転写ギャップＧが０ｍｍ以上となる位置で二次転写ローラ１６は停止している。このような位置では、基材１４の上面と中間転写ベルト２３上の乾式トナー粒子Ｔとは、互いに無圧接触状態又は非接触状態にある。
【００５２】
中間転写ベルト２３上の画像が転写された基材１４は、固定装置１７に送られる。固定装置１７として、例えば、赤外線ヒーター（好ましくは、遠赤外線ヒーター等）のような非接触加熱器が使用できる。
【００５３】
このようにして、固定装置１７により画像が固定された布帛は、機能剤が固定された基材であり、印捺物とも言われるものである。
【００５４】
続いて、乾式トナーによる画像が固定された基材１４は、次に剥離ローラ１８で搬送ベルト１３から剥がされ、必要に応じて、より強固にトナーを固着させたり、後工程が行われる。
【００５５】
なお、図１の装置では、作像ユニット１５により４つの画像を重ねて形成する場合について説明したが、本発明はこれに限定されるものではなく、１つの画像でもよく、４つ以外の複数の画像を重ねてもよい。
（第二実施形態）
続いて、第二実施形態に係る機能剤固定装置２００について図４を参照して説明する。図４の機能剤固定装置２００もまた、４トナー一括転写方式で機能剤の固定を行うことができる。以下では、機能剤固定装置１００と異なる点のみについて説明し、同一の部分については説明を省略する。この機能剤固定装置２００は、基材１４に転写するために４つの異なるトナーを用いた画像を形成できる作像ユニット（静電保持部）１５Ａおよび転写ユニット７０Ａを備える。
【００５６】
作像ユニット１５Ａは、上下に配されたプーリ２１Ａ、２２Ａと、これらのプーリの間に巻装された感光体ベルト２３Ａを備える。プーリ２１Ａ、２２Ａの間には、感光体ベルト２３Ａの上に、感光体ベルト２３Ａ上の付着物を除去するクリーニング装置２４と、感光体ベルト２３Ａの除電を行う除電装置２５と、感光体ベルト２３Ａを帯電させる帯電装置２６と、感光体ベルト２３Ａ上に潜像を形成する露光装置２７とを備えている。また、この感光体ベルト２３Ａの下流側には、感光体ベルト２３Ａの表面に沿って４つの現像装置２９ｅが並んで配置されている。
【００５７】
転写ユニット７０Ａは、作像ユニット１５Ａのプーリ２２Ａの下方に配置される。転写ユニット７０Ａは、プーリ７１Ａ、７３Ａ、７５Ａと、同プーリを周回する中間転写ベルト（帯電体）７７Ａと、を備える。さらに、転写ユニット７０Ａは、プーリ２２Ａの下方に転写ベルト７７Ａを介して一次転写ローラ７９Ａを備える。一次転写ローラ７９Ａには、感光体ベルト２３Ａ上に形成されたトナーによる画像を中間転写ベルトに転写させるためのトナーとは逆の転写電位を発生させるための高電圧が高圧電源４により供給される。
【００５８】
さらに、転写ユニット７０Ａのプーリ７３Ａの下方には、搬送ベルト１３および基材１４を介して二次転写ローラ１６が設けられている。この二次転写ローラ１６は、機能剤固定装置１００と同様に、高圧電源２及び転写ギャップ調整装置１６ａを有しており、機能剤固定装置１００と同様に二次転写ベルト７７Ａ上の乾式トナーにより形成されている画像を基材１４上に転写可能である。
【００５９】
機能剤固定装置２００では以下のようにして基材１４上に機能剤を含有するトナーによる画像の重ね合わせが形成される。
【００６０】
まず、プーリ２１Ａ、２２Ａが回転し、感光体ベルト２３Ａの表面が除電装置２５にて除電され、ベルト全体が帯電装置２６によって予め帯電される。その後、露光装置２７により潜像が感光体ベルト２３Ａに形成される。その後、４つの現像装置２９ｅのうちの形成された潜像に対応する１つの現像装置２９ｅが作動し、当該潜像に対応したトナー粒子による画像が感光体ベルト２３Ａに形成される。
【００６１】
次いで、現像装置により形成された画像は、プーリ２２Ａの下方において、転写ユニット７０Ａの一次転写ローラ７９Ａの電位により、感光体ベルト２３Ａと転写ベルト７７Ａとの間に印加される転写電界によって転写ベルト７７Ａ側に転写される。作像ユニット１５Ａ内のプーリ２１Ａ、２２Ａと、転写ユニット７０Ａのプーリ７１Ａ、７３Ａ、７５Ａとの回転を通じ、感光体ベルト２３Ａに形成された画像が転写ベルト７７Ａ側に転写される。その後、感光体ベルト２３Ａはクリーニング装置２４で付着物が除去され、除電、帯電、露光を通じ、現像装置にて他のトナーによる画像が形成され、転写ベルト７７Ａに重ねて転写される。
【００６２】
こうした転写を繰り返すことにより、転写ベルト７７Ａに異なるトナーによる画像の重ね合わせが静電的に提供される。
【００６３】
その後、転写ベルト７７Ａ上の画像は、図２に示す機能剤固定装置１００と同様にして搬送ベルト１３上の基材１４に、二次転写ローラ１６及び高圧電源２、転写ギャップ調整装置の作用により飛翔して転写される。転写後、基材１４上の画像は、図２に示す機能剤固定装置１００と同様にして固定装置１７にて固定される。
【００６４】
このような実施形態でも、前述の実施形態と同様の効果を有する。
（第三実施形態）
図５は、本発明のさらに別の第三実施形態に係る機能剤固定装置３００を表す概念図である。図５の機能剤固定装置３００もまた、４トナー一括転写方式でトナーの固定を行うことができる。以下では、図２の機能剤固定装置１００と異なる点のみについて説明し、同一の部分については説明を省略する。この機能剤固定装置３００は、それぞれの機能剤含有トナーによる画像を形成する４つの作像ユニット（静電保持部）１５Ｂが搬送ベルト１３上にタンデムに配置されている。
【００６５】
作像ユニット１５Ｂは、上下に配されたプーリ２１Ａ、２２Ａと、これらのプーリの間に巻装された感光体ベルト（帯電体）２３Ａを備える。プーリ２１Ａ、２２Ａの間には、感光体ベルト２３Ａ上に、感光体ベルト２３Ａ上の付着物を除去するクリーニング装置２４と、感光体ベルト２３Ａの除電を行う除電装置２５と、感光体ベルト２３Ａを帯電させる帯電装置２６と、感光体ベルト２３Ａ上に潜像を形成する露光装置２７とを備えている。また、この感光体ベルト２３Ａの下流側には、現像装置２９ｅが配置されている。
【００６６】
各現像装置２９ｅ中に充填される乾式トナーの機能剤は、互いに異なることが出来る。
【００６７】
さらに、作像ユニット１５Ｂのそれぞれの下方には、搬送ベルト１３および基材１４を介して転写ローラ１６ｂがそれぞれ設けられている。この転写ローラ１６ｂには、トナーと逆符号の転写電位を発生させるための高圧電源２から高電圧がそれぞれ供給されており、また、転写ギャップ調整装置１６ａが設けられており、これにより、各作像ユニット１５Ｂ内の感光体ベルト２３Ａ上の乾式トナーにより形成されている画像が基材１４上に順次転写される。
【００６８】
また、搬送ベルト１３上には、図２に示す機能剤固定装置１００と同様の固定装置１７が設けられている。基材１４上に転写された画像は、図２に示す機能剤固定装置１００と同様にして固定装置１７にて固定される。
【００６９】
機能剤固定装置３００では以下のようにして基材１４上に機能剤を含有するトナーによる画像の重ね合わせが形成される。
【００７０】
まず、各作像ユニット１５Ｂにおいて、プーリ２１Ａ、２２Ａが回転し、感光体ベルト２３Ａの表面が除電装置２５にて除電され、ベルト全体が帯電装置２６によって予め帯電される。その後、露光装置２７により潜像が感光体ベルト２３Ａ上にそれぞれ形成される。その後、形成された潜像に対応する現像装置２９ｅがそれぞれ作動し、当該潜像に対応した画像が感光体ベルト２３Ａにそれぞれ形成される。
【００７１】
次いで、現像装置２９ｅにより形成された画像は、プーリ２２Ａの下方において、転写ローラ１６ｂの電位により、感光体ベルト２３Ａと搬送ベルト１３との間に生じる電界によって基材１４上にそれぞれ転写される。このとき、各現像装置２９ｅの転写位置に応じて作像タイミングを同期させることにより、搬送ベルト１３上の基材１４に対して所望の機能剤を含有するトナーによる画像の重ね合わせを静電的に形成できる。
【００７２】
このような実施形態でも、前述の実施形態と同様の効果を有する。
（第四実施形態）
図６は、本発明の他の第四実施形態に係る機能剤固定装置２００の概略構成図である。機能剤固定装置１００，２００，３００では、任意の画像を感光体ベルトや転写ベルト上に形成して布帛等の基材に転写する方法について説明したが、第四実施形態では任意の画像は形成できず、布帛等の基材の全面に機能剤が固定され、この画像はベタ画像とも呼ばれる。
【００７３】
本実施形態では、図１の機能剤固定装置１００における４トナー作像ユニット１５に代えて、単一の機能剤含有トナーによるベタ画像を供給する作像ユニット３５が設けられており、それ以外の部分には機能剤固定装置１００と同じ構成要素が設けられ、対応する構成要素には同じ参照符号が付されている。
【００７４】
作像ユニット３５は、帯電体として、感光体ではなく金属製のトナー搬送ドラム３３を備えている。従って、トナー搬送ドラム３３は帯電しても電荷が均一に分布するので、ベタの潜像が常時形成されることとなる。トナー搬送ドラム３３にはトナーを担持するための電圧を与える電源（図示せず）が接続されている。更に、作像ユニット３５は、トナー搬送ドラム３３にトナーを供給するためのトナー付与装置３８を備えている。また、トナー搬送ドラム３３の下方には、トナー転写量を制御するための転写電極３０と、転写電極３０に転写電圧を与えるための電源（図示せず）とが配置されている。転写電極３０には乾式トナーを通過させるための開口部３１が設けられ、開口部３１の下方には、二次転写ローラ１６ｂが設けられている。二次転写ローラ１６ｂには、高圧電源２及び転写ギャップ調整装置１６ａが設けられている。
【００７５】
トナー搬送ドラム３３には電圧が印加（５００〜１０００Ｖ）されており、トナー付与装置３８のトナーはその電圧と逆極性に帯電しているので、トナーはトナー搬送ドラム３３の表面に付着して、トナー搬送ドラム３３の回転により開口部３１まで運ばれる。転写ローラ１６ｂにはトナー搬送ドラム３３よりも高い同極性の電圧が印加（１０００〜２０００Ｖ）されている。この条件下で転写電極３０に制御電圧を印加（５００〜１５００Ｖ）すると、トナーは被記録体である基材１４に向かって飛翔する。飛翔するトナーの量は、転写電極３０の電圧によってコントロールされ、その電圧が大きいほどその量は多くなる。以後、基材１４上のトナーは、図２の装置と同様に、固定装置１７で固定され、必要に王子と行われる加熱工程などを経て、最終製品の機能剤が固定された基材となる。
【００７６】
本発明の実施形態は上述に限定されずさまざまな変形態様が可能である。
【００７７】
例えば、静電保持部の形態も上述の態様には限定されない。また、転写部の構成は上記に限定されず、帯電体と対面する基材に対して帯電体上の乾式トナーを電界により飛翔させられるものであればよい。さらに、電界印加部の構成も特に限定されず、トナー粒子を飛翔させられる電界を発生できればよい。
【００７８】
また、基材搬送部の構成も、搬送ベルトに限定されない。また、固定部の態様も上記実施形態に限定されず、加熱ロールによるプレスでもよい。
【００７９】
また、第一〜第三実施形態では、機能剤を含むトナーを４つ用いているが、これに限定されず、トナーの数は、一つでも、２つでも、３つでも、５つ以上でもよい。
【実施例】
【００８０】
以下、本発明を実施例に基づいて具体的に説明する。しかし本発明はこれに限定されるものではない。
（トナー組成物Ｔ１の製造）
主成分としてポリエステル樹脂（三菱レイヨン（株）製ダイヤクロン）９５重量部、ワックス１重量部、荷電制御剤（オリヱント化学工業（株）製サリチル酸系金属錯体）1重量部、機能剤付与確認剤として染料（日本化薬（株）製  Disperse  Blue  60）3重量部とを混合し、粉砕法によりトナー（T）を得た。粉砕後、外添剤として小粒径シリカ  0.3重量部、大粒径シリカ  1重量部にて表面処理を行い、乾式トナー（以下トナーT1）を得た。
（機能性トナー組成物ＴＵ１の製造）
主成分としてポリエステル樹脂（三菱レイヨン（株）製ダイヤクロン）８９．７重量部、ワックス１重量部、荷電制御剤（オリヱント化学工業（株）製サリチル酸系金属錯体）1重量部、機能剤付与確認剤として染料（日本化薬（株）製  Disperse  Blue  60）3重量部、及びチヌビン３２６（チバスペシャルティケミカルズ社製）5重量部とを混合し、粉砕法によりトナー（TU）を得た。粉砕後、外添剤として小粒径シリカ  0.3重量部、大粒径シリカ  1重量部にて表面処理を行い、機能剤入り乾式トナー（以下機能性トナーTU1）を得た。
【００８１】
チヌビン３２６は、２−（５−クロロ−２Ｈ−ベンゾトリアゾール−２−イル）−６−（１，１−ジメチルエチル）−４−メチルフェノールであり、これ自身が紫外線吸収効果を持つ機能剤である。
（画像サンプルの作成）
乾式トナー（トナーT1及び機能性トナーTU1）を図２の製造装置を用いて静電写真方式により１００%ポリエステル繊維で構成されているサテン（目付90ｇ/平米）上に固定し、乾式トナーT1を用いて作成したトナー固定画像T1-Aを得た。同じく乾式トナーTU1を用いて作成したトナー固定画像TU1-A、TU1-B、TU1-Cを得た。ここで、T1-A、TU1-Aはベタ画像、TU1-B、TU1-Cは絵柄サンプルとした。
（耐光性評価）
サンプルT1-A及びTU1-Aに対して、JIS  L-0842（2009）第３露光法、５級照射（63℃×４０時間）による耐光堅牢度試験を行った。また、試験後JIS  L-0804により規定された変退色用グレースケール（日本規格協会製）を用いて級数判定を行った。その結果サンプルT1-Aが2-3級に対し、サンプルTU1-Aは3-4級と明らかな耐光性の向上がみられた。
【００８２】
サンプルT1-A及びサンプルTU1-Aに対して、分光光度計（X-rite社  スペクトロアイ  LT）を用いてID値測定を行った。その結果T1-AのID値0.99に対しTU1−AのID値0.96とほぼ同等の濃度と言う事が確認できた。すなわち、機能剤の有無による色彩の違いは実質的に生じていなかった。
【００８３】
また、サンプルT1-A及びサンプルTU1-A、TU1-B、TU1-Cの紫外線吸収能を確認するため、ブラックライト（東芝ライテック社製、消費電力１５W、紫外線出力1.8W）をランプホルダーにより高さ45ｃｍに固定し、光を照射した。サンプルT1-Aと、サンプルTU1-A、との間、及び、TU1-B、TU1-Cの印刷部と非印刷部とでは、目視により容易に判別できる大きな紫外線吸収効果の差がみられた。
【産業上の利用可能性】
【００８４】
本発明によれば、機能剤を所望の場所に鮮明に基材に固定することができるので、種々の分野で利用可能である。
【符号の説明】
【００８５】
２  高圧電源（電界印加部）
１１  プーリ
１２  プーリ
１３  搬送ベルト(基材搬送部)
１４  布帛
１５，１５Ａ、１５Ｂ  作像ユニット（静電保持部）
１６  二次転写ローラ
１６ｂ  転写ローラ
１７  固定装置(固定部)
１８  剥離ローラ
１９  転写部
２１  プーリ
２２  プーリ
２３  中間転写ベルト（帯電体）
２３Ｂ  感光体ベルト（帯電体）
２４  クリーニング装置
２５  除電装置
２６  帯電装置
２７  露光装置
２９  作像ユニット
２９ｐ  一次転写ローラ
２９Ｋ  一次転写ローラ
３０  転写電極
３１  開口部
３３  トナー搬送ドラム（帯電体）
３５  トナー付与ユニット（静電保持部）
３８  トナー付与装置
７７Ａ  中間転写ベルト（帯電体）
１００、２００、３００、４００  機能剤固定装置
Ｇ  転写ギャップ（間隙）
【図１】
0005563381.tif 000002
【図２】
0005563381.tif 000003
【図３】
0005563381.tif 000004
【図４】
0005563381.tif 000005
【図５】
0005563381.tif 000006
【図６】
0005563381.tif 000007